【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
電子的電流制限装置であって、
パス（ｐａｓｓ）要素であって、電圧レギュレーション制御入力経路上の電圧レギュレーション制御入力信号を受け取り、前記電圧レギュレーション制御入力信号の大きさに基づく、前記パス要素を介する電流フローの大きさを可能にするための前記パス要素と、
前記電圧レギュレーション制御入力信号を受け取り、第１の過電流状態を感知し、前記第１の過電流状態に応答して前記電圧レギュレーション制御入力信号の前記大きさを低減させるために、前記電圧レギュレーション制御入力経路に通信可能に結合される高速遷移フィードバック回路と、
前記電圧レギュレーション制御入力信号を受け取り、第２の過電流状態を感知し、前記第２の過電流状態を感知することに応答して前記電圧レギュレーション制御入力信号の前記大きさを低減させるために、前記電圧レギュレーション制御入力経路に通信可能に結合されるプレシジョンフィードバック回路であって、前記パス要素と前記プレシジョンフィードバック回路の少なくとも１つの構成要素との間の構成要素特性ミスマッチを補正することによって、前記高速遷移フィードバック回路により前記第１の過電流状態に対して提供される制御よりも精密に前記第２の過電流状態を制御し、基準電流源を含む、前記プレシジョンフィードバック回路と、
を含む、電子的電流制限回路。
【請求項２】
請求項１に記載の電子的電流制限装置であって、
前記高速遷移フィードバック回路が、
前記電圧レギュレーション制御入力信号を受け取り、前記パス要素を介する電流フローの前記大きさに比例する高速遷移フィードバック感知電流ＩＳＥＮＳＥ＿Ｆを生成するために、前記電圧レギュレーション制御入力経路に通信可能に結合される高速遷移電流感知要素と、
ＩＳＥＮＳＥ＿Ｆを基準電流と比較し、電流クランプ制御信号ＣＣ＿Ｆを生成するために、前記高速遷移電流感知要素の出力に通信可能に結合される電流コンパレータと、
を含む、電子的電流制限回路。
【請求項３】
請求項２に記載の電子的電流制限装置であって、
前記高速遷移フィードバック回路が、前記基準電流との比較のためにレシオ（ｒａｔｉｏ）１／Ｎ（ＩＳＥＮＳＥ_Ｆ）の減衰された感知電流を生成するために、前記高速遷移電流感知要素と前記電流コンパレータとの間に通信可能に結合される電流ミラーを更に含む、電子的電流制限回路。
【請求項４】
請求項２に記載の電子的電流制限装置であって、
前記高速遷移フィードバック回路が、前記電流クランプ制御信号ＣＣ＿Ｆを受け取り、前記第１の過電流状態に関連付けられる前記パス要素を介する前記電流フローの前記大きさを低減するために前記電圧レギュレーション制御入力信号の大きさを低減させるために、前記電流コンパレータの出力に通信可能に結合される過電流クランプを更に含む、電子的電流制限回路。
【請求項５】
請求項１に記載の電子的電流制限装置であって、
前記プレシジョンフィードバック回路が、
前記電圧レギュレーション制御入力信号を受け取り、前記パス要素を介する電流フローの前記大きさに比例するプレシジョンフィードバック電流感知信号ＩＳＥＮＳＥ＿ＰＳを生成するために、前記電圧レギュレーション制御入力経路に通信可能に結合されるプレシジョン電流感知要素と、
プレシジョンフィードバック感知電流ＩＳＥＮＳＥ＿Ｐを生成するために、前記プレシジョン電流感知要素の出力に通信可能に結合される第１の入力と電圧レギュレーション出力経路に通信可能に結合される第２の入力とを備える要素マッチング回路と、
前記第１の入力における信号に出力電圧を追跡させ、前記パス要素と前記プレシジョン電流感知要素との間の少なくとも１つの構成要素特性ミスマッチを補償するために、前記要素マッチング回路の出力と前記第１の入力との間に通信可能に結合される負のフィードバック要素と、
を更に含む、電子的電流制限回路。
【請求項６】
請求項５に記載の電子的電流制限装置であって、
前記プレシジョン電流感知要素が、前記パス要素の整数の半導体フィンガー比（ｆｒａｃｔｉｏｎ）である幾何学的サイズを有し、前記要素マッチング回路が信号コンパレータである、電子的電流制限回路。
【請求項７】
請求項５に記載の電子的電流制限装置であって、
前記プレシジョンフィードバック回路が、前記プレシジョンフィードバック感知電流ＩＳＥＮＳＥ＿Ｐを基準電流と比較し、電流クランプ制御信号ＣＣ＿Ｐを生成するために、前記信号コンパレータの出力に通信可能に結合される第２の電流コンパレータを更に含む、電子的電流制限回路。
【請求項８】
請求項７に記載の電子的電流制限装置であって、
前記プレシジョンフィードバック回路が、前記基準電流との比較のためにレシオ１／Ｎ（ＩＳＥＮＳＥ＿Ｐ）の減衰された感知電流をつくるために、前記信号コンパレータの前記出力と前記第２の電流コンパレータとの間に通信可能に結合される電流レシオ装置を更に含む、電子的電流制限回路。
【請求項９】
請求項７に記載の電子的電流制限装置であって、
前記プレシジョンフィードバック回路が、前記電流クランプ制御信号ＣＣ＿Ｐを受け取り、前記第２の過電流状態に関連付けられる前記パス要素を介する前記電流フローの前記大きさを低減するために前記電圧レギュレーション制御入力信号の前記大きさを低減させるために、前記電流コンパレータに通信可能に結合される過電流クランプを更に含む、電子的電流制限回路。
【請求項１０】
電子的電流制限装置であって、
パストランジスタであって、ゲート端子において電圧レギュレーション制御入力経路上の電圧レギュレーション制御入力信号を受け取り、前記電圧レギュレーション制御入力信号の大きさに基づく、前記パストランジスタに関連付けられる電流チャネルを介する電流フローの大きさを可能にするための、前記パストランジスタと、
前記電圧レギュレーション制御入力信号を受け取り、第１の過電流状態を感知し、前記第１の過電流状態に応答して前記電圧レギュレーション制御入力信号の前記大きさを低減させるために、前記電圧レギュレーション制御入力経路に通信可能に結合される高速遷移フィードバック回路と、
前記電圧レギュレーション制御入力信号を受け取り、第２の過電流状態を感知し、前記第２の過電流状態を感知することに応答して前記電圧レギュレーション制御入力信号の前記大きさを低減させるために、前記電圧レギュレーション制御入力経路に通信可能に結合されるプレシジョンフィードバック回路であって、前記パストランジスタと前記プレシジョンフィードバック回路内の電流感知トランジスタとの間の少なくとも１つの構成要素特性ミスマッチを補償することによって、前記高速遷移フィードバック回路により前記第１の過電流状態に対して提供される制御よりも精密に前記過電流状態を制御する、前記プレシジョンフィードバック回路と、
を含み、
前記プレシジョンフィードバック回路が、
前記電圧レギュレーション制御入力信号を受け取り、前記パストランジスタを介する電流フローの前記大きさに比例するプレシジョンフィードバック電流感知信号を生成するために、前記電圧レギュレーション制御入力経路に通信可能に結合されるプレシジョン電流感知トランジスタと、
プレシジョンフィードバック感知電流を生成するために、前記プレシジョン電流感知トランジスタの出力に通信可能に結合される第１の入力と電圧レギュレーション出力経路に通信可能に結合される第２の入力とを備えるオペレーショナルトランスコンダクタンス増幅器（ＯＴＡ）と、
前記第１の入力における信号にレギュレータ出力電圧を追跡させ、前記パストランジスタと前記プレシジョン電流感知トランジスタとの間の少なくとも１つの構成要素特性ミスマッチを補償するために、前記ＯＴＡの出力と前記第１の入力との間に通信可能に結合される特性マッチングフィードバックトランジスタと、
基準電流を生成するための基準電流源と、
プレシジョンループトランジスタであって、前記プレシジョンループトランジスタのゲートにおいて前記プレシジョンフィードバック感知電流を受け取り、前記基準電流との比較のために減衰された感知電流を生成するために、前記ＯＴＡの出力にゲート結合され、且つ、電圧レールと前記基準電流源との間にチャネル結合される、前記プレシジョンループトランジスタと、
を含む、電子的電流制限装置。
【請求項１１】
請求項１０に記載の電子的電流制限装置であって、
前記高速遷移フィードバック回路が、
前記電圧レギュレーション制御入力信号を受け取り、前記パストランジスタを介する電流フローの前記大きさに比例する高速遷移感知電流ＩＳＥＮＳＥ＿Ｆを生成するために、前記電圧レギュレーション制御入力経路に通信可能に結合される高速遷移電流感知トランジスタと、
前記高速遷移感知電流ＩＳＥＮＳＥ＿Ｆ又は減衰された感知電流１／Ｎ（ＩＳＥＮＳＥ_Ｆ）の少なくとも一方の大きさが基準電流Ｉ（ＲＥＦ_Ｆ）を超えるときに、前記第１の過電流状態の間に前記パストランジスタを介する前記電流フローの前記大きさを低減するために前記電圧レギュレーション制御入力信号をクランプするために、前記電圧レギュレーション制御入力経路にチャネル結合される過電流クランプトランジスタと、
前記基準電流Ｉ（ＲＥＦ＿Ｆ）を生成するために、前記過電流クランプトランジスタのゲートに通信可能に結合される基準電流源と、
を含む、電子的電流制限装置。
【請求項１２】
請求項１１に記載の電子的電流制限装置であって、
前記高速遷移フィードバック回路が、電流ミラーソーストランジスタにおいてＩＳＥＮＳＥ＿Ｆを受け取り、電流ミラー出力トランジスタの電流チャネルを介して前記減衰された感知電流１／Ｎ（ＩＳＥＮＳＥ_Ｆ）を生成するために、前記高速遷移電流感知トランジスタに通信可能に結合される電流ミラーであって、前記電流ミラー出力トランジスタの前記電流チャネルが前記基準電流源に直列に構成される、前記電流ミラーを更に含む、電子的電流制限装置。
【請求項１３】
請求項１０に記載の電子的電流制限装置であって、
前記プレシジョン電流感知トランジスタが、前記パストランジスタの整数の半導体フィンガー比である幾何学的サイズを有する、電子的電流制限装置。
【請求項１４】
請求項１０に記載の電子的電流制限装置であって、
前記プレシジョンフィードバック回路が、前記減衰された感知電流が前記基準電流よりも大きいときに前記第２の過電流状態の間に導通して駆動され、前記第２の過電流状態に関連付けられる前記パストランジスタを介する前記電流フローの前記大きさを低減するために前記電圧レギュレーション制御入力信号の前記大きさを低減させるように、前記基準電流源と前記プレシジョンループトランジスタチャネルとの間のノードにゲート結合される第２の過電流クランプトランジスタを含む、電子的電流制限装置。
【請求項１５】
電流制限される電圧レギュレータであって、
パス要素であって、電圧レギュレーション制御入力経路上の電圧レギュレーション制御入力信号を受け取り、前記電圧レギュレーション制御入力信号の大きさに基づく、前記パス要素を介する電流フローの大きさを可能にするための、前記パス要素と、
前記電圧レギュレーション制御入力信号を受け取り、第１の過電流状態において前記電圧レギュレーション制御入力信号の前記大きさを低減させるために、前記電圧レギュレーション制御入力経路に通信可能に結合される高速遷移フィードバック回路と、
前記電圧レギュレーション制御入力信号を受け取り、第２の過電流状態を感知し、前記第２の過電流状態において前記電圧レギュレーション制御入力信号の前記大きさを低減させるために、前記電圧レギュレーション制御入力経路に通信可能に結合されるプレシジョンフィードバック回路であって、前記パス要素と前記プレシジョンフィードバック回路の電流感知要素との間の構成要素特性ミスマッチを補正することによって、前記高速遷移フィードバック回路により前記第１の過電流状態に対して提供される制御よりも精密に前記第２の過電流状態を制御するためのものであり、基準電流源を含む、前記プレシジョンフィードバック回路と、
電圧感知信号を提供するために、前記電圧レギュレータの出力と電圧レールとの間に通信可能に結合される分圧器と、
前記電圧感知信号を受け取り、前記電圧感知信号を基準電圧入力と比較し、前記電圧レギュレーション制御入力信号を生成するために、前記分圧器に通信可能に結合される電圧レギュレーションエラー増幅器と、
を含む、電圧レギュレータ。
【請求項１６】
請求項１５に記載の電流制限される電圧レギュレータであって、
前記高速遷移フィードバック回路が、
前記電圧レギュレーション制御入力信号を受け取り、前記パス要素を介する電流フローの前記大きさに比例する高速遷移フィードバック感知電流ＩＳＥＮＳＥ＿Ｆを生成するために、前記電圧レギュレーション制御入力経路に通信可能に結合される高速遷移電流感知要素と、
ＩＳＥＮＳＥ＿Ｆを基準電流と比較し、電流クランプ制御信号ＣＣ＿Ｆを生成するために、前記高速遷移電流感知要素の出力に通信可能に結合される電流コンパレータと、
前記基準電流との比較のためにレシオ１／Ｎ（ＩＳＥＮＳＥ_Ｆ）の減衰された感知電流を生成するために、前記高速遷移電流感知要素と前記電流コンパレータとの間に通信可能に結合される電流ミラーと、
前記電流クランプ制御信号ＣＣ＿Ｆを受け取り、前記第１の過電流状態に関連付けられる前記パス要素を介する前記電流フローの前記大きさを低減するために前記電圧レギュレーション制御入力信号の前記大きさを低減させるために、前記電流コンパレータの出力に通信可能に結合される過電流クランプと、
を含む、電圧レギュレータ。
【請求項１７】
請求項１５に記載の電流制限される電圧レギュレータであって、
前記プレシジョンフィードバック回路が、
前記電圧レギュレーション制御入力信号を受け取り、前記パス要素を介する電流フローの前記大きさに比例するプレシジョンフィードバック電流感知信号ＩＳＥＮＳＥ＿ＰＳを生成するために、前記電圧レギュレーション制御入力経路に通信可能に結合されるプレシジョン電流感知要素と、
プレシジョンフィードバック感知電流ＩＳＥＮＳＥ＿Ｐを生成するために、前記プレシジョン電流感知要素の出力に通信可能に結合される第１の入力と電圧レギュレーション出力経路に通信可能に結合される第２の入力とを備える信号コンパレータと、
前記第１の入力における信号に出力電圧を追跡させ、前記パス要素と前記プレシジョン電流感知要素との間の少なくとも１つの構成要素特性ミスマッチを補償するために、前記信号コンパレータの出力と前記第１の入力との間に通信可能に結合される負のフィードバック要素と、
を更に含む、電圧レギュレータ。
【請求項１８】
請求項１７に記載の電流制限される電圧レギュレータであって、
前記プレシジョンフィードバック回路が、
前記プレシジョンフィードバック感知電流ＩＳＥＮＳＥ＿Ｐを基準電流と比較し、電流クランプ制御信号ＣＣ＿Ｐを生成するために、前記信号コンパレータの出力に通信可能に結合される電流コンパレータと、
前記基準電流との比較のためにレシオ１／Ｎ（ＩＳＥＮＳＥ＿Ｐ）の減衰された感知電流をつくるために、前記信号コンパレータの前記出力と前記電流コンパレータとの間に通信可能に結合される電流レシオ装置と、
前記電流クランプ制御信号ＣＣ＿Ｐを受け取り、前記第２の過電流状態に関連付けられる前記パス要素を介する前記電流フローの前記大きさを低減するために前記電圧レギュレーション制御入力信号の前記大きさを低減させるために、前記電流コンパレータに通信可能に結合される過電流クランプと、
を更に含む、電圧レギュレータ。